【手続補正書】
【提出日】平成28年7月22日(2016.7.22)
【手続補正１】
【補正対象書類名】特許請求の範囲
【補正対象項目名】全文
【補正方法】変更
【補正の内容】
【特許請求の範囲】
【請求項１】
乳児のための光線療法システムであって、
その上面で乳児を支持するように構成される乳児支持体と、
前記乳児支持体の上面上の前記乳児の位置に関する情報を伝える一つ以上の出力信号を生成する一つ以上のセンサと、
前記乳児支持体によって保持される光源のセットであって、前記光源のセットのサブセットの起動に応答して、前記光源のセットのサブセットによって放出される電磁放射が前記乳児支持体の上面を通じてガイドされるように構成され配置される、光源のセットと、
コンピュータプログラムモジュールを実行するように構成される一つ以上のプロセッサとを有し、前記コンピュータプログラムモジュールが、
前記乳児支持体の上面上の前記乳児の位置を決定するように構成される位置モジュールであって、当該決定が前記一つ以上のセンサからの情報に基づき、前記位置が、前記乳児の顔が向いている方向を含む、位置モジュールと、
前記放出される電磁放射が前記乳児に光線療法を施すよう、及び前記放出される電磁放射が前記乳児の眼に直接作用しないよう、前記決定された乳児の位置及び前記乳児の顔が向いている方向に基づいて前記光源のセットのうち光源の一つ以上のサブセットを制御するように構成される、光モジュールとを有する、光線療法システム。
【請求項２】
前記位置モジュールがさらに、前記乳児の眼が前記乳児支持体の上面から背いているかどうかを決定するように構成され、前記光モジュールの動作が、前記放出される電磁放射が前記乳児の眼に直接作用しないよう、前記乳児の眼が前記乳児支持体の上面から背いているという決定に基づく、請求項１に記載の光線療法システム。
【請求項３】
前記一つ以上のセンサが前記乳児支持体の上面上の前記乳児のサイズに関する情報を伝える一つ以上の出力信号を生成し、
前記システムが更に、前記乳児のサイズに関する情報に基づいて前記乳児のための推奨される光線療法レジメンを決定するように構成される治療モジュールを有し、
前記光モジュールが前記光源のセットのうち光源の一つ以上のサブセットによって放出される電磁放射のレベルを調節することによって前記光源のセットのうち光源の一つ以上のサブセットを制御するように構成され、前記光モジュールによる調節が前記推奨される光線療法レジメンに基づく、請求項１に記載の光線療法システム。
【請求項４】
前記一つ以上のセンサが、前記乳児支持体の上面上の前記乳児の位置情報をキャプチャするように構成される一つ以上のイメージングセンサを含み、前記位置モジュールがさらに、前記一つ以上のイメージングセンサからの前記キャプチャされた位置情報に基づき前記乳児の三次元位置を決定するように構成され、前記光モジュールがさらに、前記決定された三次元位置に基づき、前記光源のセットからの１つ以上の光源を制御するように構成される、請求項１に記載の光線療法システム。
【請求項５】
前記一つ以上のセンサが、漏れた電磁放射が前記乳児のための光線療法に実質的に寄与しないよう、前記光源のセットによって放出される漏れた電磁放射のレベルに関する情報を伝える一つ以上の出力信号を生成し、
前記光源のセットがさらに、様々な方向に電磁放射を放出するように構成され、前記光モジュールがさらに、前記漏れた電磁放射のレベルが影響を受けるように前記光源のセットの放出の方向を制御するように構成される、請求項１に記載の光線療法システム。
【請求項６】
乳児に光線療法を施すよう構成される光線療法システムの光源を制御する方法であって、前記光線療法システムが、上面を持つ乳児支持体を含んでおり、
前記乳児支持体の上面上の前記乳児の位置に関する情報を伝える一つ以上の出力信号を生成するステップと、
光源のセットから前記乳児支持体の上面を通じて電磁放射を放出するステップと、
一つ以上のセンサからの情報に基づいて前記乳児支持体の上面上の前記乳児の位置を決定するステップであって、前記位置が、前記乳児の顔が向いている方向を含む、ステップと、
前記放出される電磁放射が前記乳児の眼に直接作用しないよう、前記決定された乳児の位置及び前記乳児の顔が向いている方向に基づいて前記光源のセットから光源の一つ以上のサブセットを制御するステップとを有する方法。
【請求項７】
前記乳児の眼が前記乳児支持体の上面から背いているかどうかを決定するステップをさらに有し、
前記光源のセットから光源の一つ以上のサブセットを制御するステップがさらに、前記放出される電磁放射が前記乳児の眼に直接作用しないよう、前記乳児の眼が前記乳児支持体の上面から背いているという決定に基づく、
請求項６に記載の方法。
【請求項８】
前記乳児支持体の上面上の前記乳児のサイズに関する情報を伝える一つ以上の出力信号を生成するステップと、
前記乳児のサイズに関する情報に基づいて前記乳児のための推奨される光線療法レジメンを決定するステップとをさらに有し、
前記光源のセットから光源の一つ以上のサブセットを制御するステップが、前記推奨される光線療法レジメンに基づいて前記光源のセットのうち光源の一つ以上のサブセットによって放出される電磁放射のレベルを調節することによって達成される、請求項６に記載の方法。
【請求項９】
前記一つ以上のセンサが前記乳児支持体の上面上の前記乳児の位置情報をキャプチャするように構成される一つ以上のイメージングセンサを含み、
前記方法が、前記一つ以上のイメージングセンサからの前記キャプチャされた位置情報に基づき前記乳児の三次元位置を決定するステップをさらに有し、
前記光源のセットから光源の一つ以上のサブセットを制御するステップがさらに、前記決定された三次元位置に基づく、請求項６に記載の方法。
【請求項１０】
漏れた電磁放射が前記乳児のための光線療法に実質的に寄与しないよう、前記光源のセットによって放出される漏れた電磁放射のレベルに関する情報を伝える一つ以上の出力信号を生成するステップをさらに有し、
前記光源のセットがさらに、様々な方向に電磁放射を放出するように構成され、前記光源のセットから光源の一つ以上のサブセットを制御するステップが、前記漏れた電磁放射のレベルが影響を受けるように前記光源のセットの放出の方向を制御するステップを含む、請求項６に記載の方法。
【請求項１１】
乳児に光線療法を施すように構成されるシステムであって、
乳児支持体の上面で乳児を支持するための手段と、
前記乳児支持体の上面上の前記乳児の位置に関する情報を伝える一つ以上の出力信号を生成するための手段と、
前記乳児支持体の上面を通じて電磁放射を放出するための手段と、
一つ以上のセンサからの情報に基づいて前記乳児支持体の上面上の前記乳児の位置を決定するための手段であって、前記位置が、前記乳児の顔が向いている方向を含む、手段と、
前記放出される電磁放射が前記乳児に光線療法を施すよう、及び前記放出される電磁放射が前記乳児の眼に直接作用しないよう、前記決定された乳児の位置及び前記乳児の顔が向いている方向に基づいて前記電磁放射を放出するための手段を制御するための手段とを有する、システム。
【請求項１２】
前記乳児の位置を決定するための手段がさらに、前記乳児の眼が前記乳児支持体の上面から背いているかどうかを決定し、
前記電磁放射を放出するための手段を制御するための手段がさらに、前記放出される電磁放射が前記乳児の眼に直接作用しないよう、前記乳児の眼が前記乳児支持体の上面から背いているという決定に基づく、請求項１１に記載のシステム。
【請求項１３】
前記一つ以上の出力信号を生成するための手段がさらに、前記乳児支持体の上面上の前記乳児のサイズに関する情報を伝える一つ以上の出力信号を生成し、
前記システムが、前記乳児のサイズに関する情報に基づいて前記乳児のための推奨される光線療法レジメンを決定するための手段をさらに有し、
前記電磁放射を放出するための手段を制御するための手段が、前記推奨される光線療法レジメンに基づいて、前記電磁放射を放出するための手段によって放出される電磁放射のレベルを調節することによって動作する、請求項１１に記載のシステム。
【請求項１４】
前記一つ以上の出力信号を生成するための手段が、前記乳児支持体の上面上の前記乳児の位置情報をキャプチャするように構成される一つ以上のイメージングセンサを含み、
前記システムが更に、前記一つ以上のイメージングセンサからの前記キャプチャされた位置情報に基づき前記乳児の三次元位置を決定する手段を有し、
前記電磁放射を放出するための手段を制御するための手段の動作がさらに、前記決定された三次元位置に基づく、請求項１１に記載のシステム。
【請求項１５】
前記一つ以上の出力信号を生成するための手段がさらに、漏れた電磁放射が前記乳児のための光線療法に実質的に寄与しないよう、前記電磁放射を放出するための手段によって放出される漏れた電磁放射のレベルに関する情報を伝える一つ以上の出力信号を生成し、
前記電磁放射を放出するための手段がさらに、様々な方向に電磁放射を放出するように構成され、前記電磁放射を放出するための手段を制御するための手段がさらに、前記漏れた電磁放射のレベルが影響を受けるように前記電磁放射を放出するための手段の放出の方向を制御するように構成される、請求項１１に記載のシステム。